(57)【要約】      （修正有）【課題】酸素吸入用カニューレや酸素吸入用マスク紐、その他の耳引掛け部材の取り外しを簡単且つ迅速にでき、また肌触りやソフト感、圧迫感を良くすると共に、現場でクッション状態等を適宜調節可能にし、耳と接触することで生じる痛みや炎症等のトラブルを解消できる耳引掛け部材用の皮膚トラブル防止用具を提供する。【解決手段】耳引掛け部材用の皮膚トラブル防止用具は、耳引掛け部材１の、耳２と接触する部位に取り付けて使用し、手先で切取り自在な不織布類３で形成する。耳２と接触する部位に巻き付け後の解けを防止するための両面テープ４を一方の端縁３ａに沿って裏面３ｂに貼り付ける。この両面テープ４の近傍の両面テープ４より内側の裏面３ｂの位置に、耳引掛け部材１から不織布類３を取り外す際に不織布類３の切離しに使用する切離し手段５を形成する。【選択図】図１
0003228510.tif 000002
【実用新案登録請求の範囲】
【請求項１】
酸素吸入用カニューレその他の耳引掛け部材の、耳と接触する部位に取り付けて使用する、耳引掛け部材用の皮膚トラブル防止用具であって、手先で切取り自在な不織布類で形成され、耳と接触する部位に巻き付け後の解けを防止するための両面テープが一方の端縁に沿って裏面に貼り付けられ、この両面テープの近傍の両面テープより内側の裏面の位置に、耳引掛け部材から不織布類を取り外す際に不織布類の切離しに使用する切離し手段が形成されていることを特徴とする耳引掛け部材用の皮膚トラブル防止用具。
【請求項２】
請求項１記載の耳引掛け部材用の皮膚トラブル防止用具であって、切離し手段が、不織布類に平行状に入れられている二本の破線で形成されていることを特徴とする耳引掛け部材用の皮膚トラブル防止用具。
【請求項３】
請求項１又は２記載の耳引掛け部材用の皮膚トラブル防止用具であって、両面テープの一端が不織布類から食み出され、この両面テープの食み出し端が非粘着状に形成されていることを特徴とする耳引掛け部材用の皮膚トラブル防止用具。
【請求項４】
請求項２又は３記載の耳引掛け部材用の皮膚トラブル防止用具であって、破線は、不織布類の端縁に切れ目が入れられた状態で形成されていることを特徴とする耳引掛け部材用の皮膚トラブル防止用具。
【考案の詳細な説明】
【技術分野】
【０００１】
本考案は、例えば酸素吸入用カニューレ等の耳引掛け部材が耳との接触で引き起こす皮膚トラブルを解消できるよう形成した、耳引掛け部材用の皮膚トラブル防止用具に関するものである。
【背景技術】
【０００２】
従来、酸素吸入に使用するカニューレや酸素吸入用のマスク紐などは、使用中、耳の付け根に常時接触しているため、この種の耳引掛け部材によって装着者は耳の付け根の皮膚が痛くなったり、ただれたりすることがあった。
【０００３】
特に、カニューレ等の医療器具は、取り付け状態が悪いと命の危険を招くため、装着の際、ずれることがないよう耳に対して強めにしっかりと張られることが多い。そのため、従来は、カニューレが皮膚に食い込み、長時間経過して炎症が悪化し、潰瘍となることもあった。
【０００４】
このような場合、カニューレを緩めたくても患者によっては手が使えなかったり、意識がなかったり、苦痛を訴えることができない場合がある。
またカニューレは、介助者が体位を変えたり、患者自身が頭を動かした際に食い込み易く、皮膚トラブルを起こし易い。
【０００５】
そして、この種のトラブルを避けるため、緩く装着すると、カニューレの先が鼻腔から抜け落ちたり、酸素吸入用マスクの場合は、マスクがずれたり外れたりし、酸素を確実に供給することができないこととなる。
【０００６】
而して、この種の問題を解消するため、例えば柔らかい布等をカニューレに巻き付けて粘着テープなどで止める方法もある。ただこの場合は、使用後に、布等を迅速に除去できないことが多く、例えば浸出液などで布やテープが濡れているとヌルヌルしてはがしにくく、また貼った粘着テープで皮膚トラブルを起こすこともあった。そして、この場合、鋏を使おうとしても患者が突然動いたりすると、刺し傷等の事故につながる恐れがあった。
【０００７】
而して、従来、この種の用具としては、例えば特許文献１に記載のものが知られている。この従来品は、幅の広い樹脂テープでスパイラル状のチューブに形成され、マスク紐を包み込むよう、マスク紐に被せて使用するものである。
【０００８】
従って、この従来品は、樹脂テープの弾性により、皮膚の圧迫を軽減できるが、本体が樹脂製のため肌触りが悪かった。
またこの従来品は、テープの厚みで肌に対するソフト感や圧迫感が決まり、現場で適宜クッション状態を調節できないため、傷みや炎症等を防止しにくい、という問題点があった。
【先行技術文献】
【特許文献】
【０００９】
【特許文献１】実用新案登録第３２０３０５２号公報
【考案の概要】
【考案が解決しようとする課題】
【００１０】
本考案は、このような従来の問題点に鑑み、提案されたものである。
従って、本考案の解決しようとする技術的課題は、酸素吸入用カニューレや酸素吸入用マスク紐、その他の耳引掛け部材の取り外しを簡単且つ迅速にでき、また肌触りやソフト感、圧迫感を良くすると共に、現場でクッション状態等を適宜調節可能にし、耳と接触することで生じる痛みや炎症等のトラブルを解消できるよう形成した耳引掛け部材用の皮膚トラブル防止用具を提供することにある。
【課題を解決するための手段】
【００１１】
本考案は、上記の課題を解決するため、次のような技術的手段を採る。
即ち、本考案は、図１等に示されるように、酸素吸入用カニューレ、その他の耳引掛け部材１の、耳２と接触する部位に取り付けて使用する、耳引掛け部材１用の皮膚トラブル防止用具であって、手先で切取り自在な不織布類３で形成され、耳２と接触する部位に巻き付け後の解けを防止するための両面テープ４が一方の端縁３ａに沿って裏面３ｂに貼り付けられ、この両面テープ４の近傍の両面テープ４より内側の裏面３ｂの位置に、耳引掛け部材１から不織布類３を取り外す際に不織布類３の切離しに使用する切離し手段５が形成されていることを特徴とする（請求項１）。
【００１２】
ここで、耳引掛け部材１としては、気管に酸素を送り込むため鼻腔に挿入して使用する酸素吸入用カニューレ（管）や、酸素吸入用マスクの耳引掛け紐、或いは通常のマスクのゴム紐などがある。またここで、手先で切取り自在な不織布類３とは、手指で容易に切ることができる不織布や、不織布と同種類、同等のもの、ということを意味する。具体的には、不織布のほか、例えばガーゼ状の薄い布、ウレタン樹脂製のクッションシート、和紙などの紙がある。この場合、不織布類３は、肌触りが良く、巻き付け易い柔らかいものを選定するのが好ましい。
【００１３】
またここで、両面テープ４が一方の端縁３ａに沿って裏面３ｂに貼り付けられ、とは、両面テープ４は、剥離紙の一方側が剥がされて本考案品の一方の端縁３ａに沿って裏面３ｂに貼り付けられ、反対側の他方の剥離紙４ｃは剥がされないで貼り付けられている、ということを意味する。
【００１４】
また本考案は、切離し手段５が、不織布類３に平行状に入れられている二本の破線で形成されているのが好ましい（請求項２）。
【００１５】
なぜならこれによると、切離し手段５を、簡単且つ安価に形成できるからである。この場合、破線の間隔は、任意である。
【００１６】
また本考案は、両面テープ４の一端が不織布類３から食み出され、この両面テープ４の食み出し端４ａが非粘着状に形成されているのが好ましい（請求項３）。
【００１７】
なぜならこれによると、両面テープ４の食み出し端４ａを持って、両面テープ４の他方の剥離紙４ｃを、手先をべと付かせることなく剥がして本考案品を耳引掛け部材１に、迅速且つ容易に取り付けることができるからである。
【００１８】
また本考案の場合、上記の破線は、不織布類３の端縁に切れ目５ａが入れられた状態で形成されているのが好ましい（請求項４）。
【００１９】
なぜならこの場合は、切離し易くなり、迅速且つ確実に切離しできるからである。
【考案の効果】
【００２０】
本考案は、このように手先で切取り自在な不織布類で形成されている。
従って、本考案は、従来品のように、チューブが、直接、耳に接触する場合に比べて肌触りが良く、皮膚に対する圧迫感を抑えることができるから、これによれば、痛みや炎症等の皮膚トラブルを防止できる。
【００２１】
また本考案の不織布類は、手先で切取り自在に形成されている。
従って、本考案の場合は、耳引掛け部材の太さや患者の皮膚の具合等に応じて現場で巻き付け回数を調節できる。それ故、これによれば、クッション性やソフト感を簡便に調節でき、使い勝手が良くなる、という利点がある。
【００２２】
また本考案は、耳と接触する部位に巻き付け後の解けを防止するための両面テープが一方の端縁に沿って裏面に貼り付けられている。
従って、本考案は、巻き付け完了の直前、両面テープの他方の剥離紙をはがして開放端側を不織布類の表面に押し付けることにより、簡単、迅速に止め付けることができる。
【００２３】
また本考案は、両面テープの近傍の両面テープより内側の裏面の位置に、耳引掛け部材から不織布類を取り外す際に不織布類の切離しに使用する切離し手段が形成されている。
従って、本考案によれば、鋏などを必要とすることなく、簡単、迅速に、また安全に耳引掛け部材から取り外しできる、という実用上優れた効果を奏する。
【図面の簡単な説明】
【００２４】
【図１】本考案用具の好適な一実施形態を示し、Ａは使用状態時の要部斜視図、Ｂは同上用具の背面図である。
【図２】同上用具の使用状態時の右側面図である。
【図３】Ａは同上用具の要部拡大背面図、ＢはＡのＢ−Ｂ線断面図、ＣはＡのＣ−Ｃ線断面図である。
【図４】Ａ、Ｂとも、同上用具の使用例を示す説明図である。
【図５】同上用具の使用例を示す説明図である。
【図６】Ａは同上用具の巻き付け後の状態を示す要部正面図、Ｂは要部拡大斜視図である。
【図７】切離し手段の使用例を説明するための要部斜視図である。
【図８】酸素吸入用のマスク紐に本考案品を取り付けた状態を示す使用状態時の要部斜視図である。
【図９】図８の実施形態の使用状態時の右側面図である。
【図１０】同上用具の他の使い方を説明するための要部斜視図である。
【図１１】同上用具の更に他の使い方を説明するための要部正面図である。
【考案を実施するための形態】
【００２５】
以下、本考案の好適な一実施形態を、添付図面に従って説明する。
本考案は、耳引掛け部材１用の皮膚トラブル防止用具であり、酸素吸入用カニューレ（図１Ａ，図２参照）や、酸素吸入用マスクのマスク紐（図８，図９参照）、その他の耳引掛け部材１の、耳２と接触する部位に取り付けて使用する。
【００２６】
本考案は、手先で切取り自在な不織布類３で形成されている。この実施形態では、不織布類３として、肌触りの良い不織布が使用され、方形の小片状に形成されている。
【００２７】
具体的には、図１Ｂに示されるように、ＤＩが１００ｍｍ、Ｄ２が７０ｍｍに選定されている。この各寸法は、ＤＩ、Ｄ２を、共に、例えば７０ｍｍの同一に選定し、不織布類３を正方形に形成するのでも良く、寸法は耳引掛け部材１の太さ等を考慮して適宜選定するので良い。
【００２８】
また本考案は、耳２と接触する部位に巻き付け後の解けを防止するための両面テープ４が一方の端縁３ａに沿って裏面３ｂに貼り付けられている。両面テープ４の一端は、不織布類３から食み出され、この両面テープ４の食み出し端４ａが非粘着状に形成されている。この実施形態の場合、両面テープ４の幅は７ｍｍ、食み出し端４ａの突き出し寸法は１０ｍｍに選定されているが、これらの寸法は、適宜選定されるので良い。
【００２９】
またこの実施形態の場合、両面テープ４は、図３Ｂに示されるように、不織布類３の裏面３ｂに粘着面４ｂを介して貼り付けられ、食み出し端４ａの部分は、粘着面４ｂが除去されることで非粘着状に形成されている。この非粘着状に形成する構造は、これには限られず、その他、例えば食み出し端４ａの表裏の剥離紙が残されて両面テープ４が裏面３ｂに貼り付けられることで実現されるのでも良く、任意である。
【００３０】
また本考案は、両面テープ４の近傍の両面テープ４より内側の裏面３ｂの位置に、耳引掛け部材１から不織布類３を取り外す際に不織布類３の切離しに使用する切離し手段５が形成されている。この切離し手段５は、この実施形態の場合、不織布類３に平行状に入れられている二本の破線で形成されている。
【００３１】
この破線は、切離しを容易に、且つ確実にできるよう、不織布類３の端縁（図３Ａにおいて、上端縁）に切れ目５ａが入れられた状態で形成されている。なお、５ｂは、二本の破線が作る線状の引き切り部分である。この引き切り部分５ｂの幅、換言すると二本の破線の間隔は、この実施形態では７ｍｍであるが、これには限られず、適宜選定されるので良い。
【００３２】
次に、この実施形態に係る本考案品の使用例を、図４等に従って説明する。
先ず、使用者は、耳引掛け部材１としての、例えば酸素吸入用カニューレの、耳２と接触する部位に、本考案品を巻き付ける。具体的には、不織布類３の他方の端縁３ｃを耳引掛け部材１にあてがい、不織布類３を巻き付けて行く（図４Ａ、Ｂ参照）。なお、本考案品は、巻き付け方向を示す矢印等のマークが、例えば不織布類３の裏面３ｂに付されているのでも良い。
【００３３】
そして、図５に示されるように、巻き付け完了の直前、換言すると両面テープ４の近くに到達したら、使用者は両面テープ４の食み出し端４ａを摘まみ、剥離紙４ｃを引き剥がす。
その後、使用者は、剥離紙４ｃが剥がされた両面テープ４の粘着面４ｂを、巻き付けられている不織布類３の外面に押し付ける。
【００３４】
これにより、耳引掛け部材１に不織布類３が巻き付けられ、本考案品が耳引掛け部材１に装着される。この場合、使用者は、耳引掛け部材１の太さ等を考慮して、不織布類３の他方の端縁３ｃ（図４Ａ参照）の側を、適宜、手先等で切取り、巻き付け回数を変えることにより、ソフト感やクッション性を調節するのでも良い。
【００３５】
次に、本考案品を取り外す場合を説明する。
本考案品は、切離し手段５としての二本の破線が、不織布類３に入れられている。従って、耳引掛け部材１から本考案品を取り外すときは、図７に示されるように、使用者は、先ず、切離し手段５としての二本の破線が作る線状の引き切り部分５ｂの端５ｂ１を摘まみ、次に、この引き切り部分５ｂの端５ｂ１を引き下ろす。
【００３６】
これにより、不織布類３は、引き切り部分５ｂを介して切離され、分断される。その後、使用者は、耳引掛け部材１から、本考案品を除去することにより、取り外しが完了する。
【００３７】
以上の処において、本考案は、材料を無駄にすることなく、効率良く大量生産できることから、不織布類３の外形状は、上例のような方形状が好ましいが、これに限定されるものではなく、任意である。また本考案品は、大きさも自由である。また上記の切離し手段５についても、上例の構造には限定されない。
【００３８】
更に、本考案品は、通常、酸素吸入用カニューレ等に装着して使用するものであるが、用途は自由である。
例えば図１０に示されるように、カテーテル６の固定用として、カテーテル６に巻き付けた本考案品の両端を固定用テープ７で止め、固定用テープ７の使用量の軽減を図るのに使用するのでも良い。
【００３９】
また図１１に示されるように、本考案品は、ガーゼや包帯のかわりに、例えば指８に装着して使用するのでも良い。なお、この場合は、本考案品にサック型のネット９を被せ、本考案品が外れたり抜け落ちするのを防止するのが好ましい。
【符号の説明】
【００４０】
１      耳引掛け部材
２      耳
３      不織布類
３ａ    一方の端縁
３ｂ    裏面
４      両面テープ
５      切離し手段
【図１】
0003228510.tif 000003
【図２】
0003228510.tif 000004
【図３】
0003228510.tif 000005
【図４】
0003228510.tif 000006
【図５】
0003228510.tif 000007
【図６】
0003228510.tif 000008
【図７】
0003228510.tif 000009
【図８】
0003228510.tif 000010
【図９】
0003228510.tif 000011
【図１０】
0003228510.tif 000012
【図１１】
0003228510.tif 000013